(57)【要約】【課題】前面フィルム１、右側面フィルム２、後面フィルム３、左側面フィルム４及び底面フィルム５を備えて構成され、前面フィルム１、右側面フィルム２、後面フィルム３、左側面フィルム４が胴部シール線ａ，ｂ，ｃ，ｄでシールされて筒状胴部を構成し、これら各フィルムと底面フィルム５が底部シール線ｅ，ｆ，ｇ，ｈでシールされているガゼットパウチにおいて、衝撃が加えられた場合にも、下端隅部ａｅｆに破袋が生じ難いパウチを提供すること。【解決手段】胴部シール線ａ及び底部シール線ｅを合掌状にシールして形成し、これら合掌状胴部シール線ａ及び下端隅部でこれに交差する二本の合掌状底部シール線ｅ，ｆのうち、いずれか二本のシール線ａ，ｅの内縁を、曲線又はこれらシール線に斜めに交差する傾斜直線で滑らかに連続する形状とする。【選択図】図１
2018199519.tif 000002
【特許請求の範囲】
【請求項１】
前面フィルム、右側面フィルム、後面フィルム、左側面フィルム及び底面フィルムを備えて構成されるパウチであって、
前面フィルムの右側端縁と右側面フィルムの左側端縁とがシールされて胴部シール線が設けられ、右側面フィルムの右側端縁と後面フィルムの左側端縁とがシールされて胴部シール線が設けられ、後面フィルムの右側端縁と左側面フィルムの左側端縁とがシールされて胴部シール線が設けられ、かつ、左側面フィルムの右側端縁と前面フィルムの左側端縁とがシールされて胴部シール線が設けられており、
前面フィルムの下側端縁と底面フィルムの一辺とがシールされて底部シール線が設けられ、右側面フィルムの下側端縁と底面フィルムの一辺とがシールされて底部シール線が設けられ、後面フィルムの下側端縁と底面フィルムの一辺とがシールされて底部シール線が設けられ、かつ、左側面フィルムの下側端縁と底面フィルムの一辺とがシールされて底部シール線が設けられており、
前記４本の胴部シール線のうち、少なくとも１本の胴部シール線が合掌状にシールして形成された合掌状胴部シール線であり、
この合掌状胴部シール線の下端隅部で互いに交差する二本の底部シール線が、いずれも、合掌状にシールして形成された合掌状底部シール線であり、
これら合掌状胴部シール線及び二本の合掌状底部シール線が交差する下端隅部において、二本の合掌状底部シール線のうちいずれか一方の内縁と合掌状胴部シール線の内縁、又は二本の合掌状底部シール線のうちいずれか一方の内縁と他方の内縁とが曲線又はこれらシール線に斜めに交差する直線（傾斜直線）で滑らかに連続している、
ことを特徴とするガゼットパウチ。
【請求項２】
請求項１に記載のガゼットパウチにおいて、底部シール線の内縁と合掌状胴部シール線の内縁とが前記曲線又は傾斜直線で滑らかに連続しており、この曲線又は傾斜直線と底部シール線の内縁の直線状部位との交点をシール内縁屈曲点とするとき、このシール内縁屈曲点と合掌状底部シール線の端部との間の長さが合掌状底部シール線の長さの１／２以下であることを特徴とするガゼットパウチ。
【請求項３】
請求項２に記載のガゼットパウチにおいて、シール内縁屈曲点と合掌状底部シール線の端部との間の長さが合掌状底部シール線の幅の１０％以上であることを特徴とするガゼットパウチ。
【請求項４】
請求項１〜３のいずれかに記載のガゼットパウチにおいて、合掌状底部シール線の内縁と合掌状胴部シール線の内縁とが前記曲線又は傾斜直線で滑らかに連続しており、この曲線又は傾斜直線と合掌状胴部シール線の内縁の直線状部位との交点をシール内縁屈曲点とするとき、このシール内縁屈曲点と合掌状胴部シール線の端部との間の長さが胴部シール線の長さの１／２以下であることを特徴とするガゼットパウチ。
【請求項５】
請求項４に記載のガゼットパウチにおいて、シール内縁屈曲点と合掌状胴部シール線の端部との間の長さが合掌状胴部シール線の幅の１０％以上であることを特徴とするガゼットパウチ。
【請求項６】
請求項１〜５のいずれかに記載のガゼットパウチにおいて、二本の合掌状底部シール線のうちいずれか一方の内縁と他方の内縁とが前記曲線又は傾斜直線で滑らかに連続しており、この曲線又は傾斜直線と合掌状底部シール線の内縁の直線状部位との交点をシール内縁屈曲点とするとき、このシール内縁屈曲点と合掌状底部シール線の端部との間の長さが底部シール線の長さの１／２以下であることを特徴とするガゼットパウチ。
【請求項７】
請求項６に記載のガゼットパウチにおいて、シール内縁屈曲点と合掌状底部シール線の端部との間の長さが合掌状底部シール線の幅の１０％以上であることを特徴とするガゼットパウチ。
【請求項８】
請求項２〜７のいずれかに記載のガゼットパウチにおいて、前記曲線又は傾斜直線の両端のシール内縁屈曲点と、合掌状底部シール線の端部又は合掌状胴部シール線の端部とを結んで構成される三角形が直角二等辺三角形であることを特徴とするガゼットパウチ。
【請求項９】
請求項１〜８のいずれかに記載のガゼットパウチにおいて、二本の合掌状底部シール線のうちいずれか一方の内縁と合掌状胴部シール線の内縁、又は二本の合掌状底部シール線のうちいずれか一方の内縁と他方の内縁とが、曲率半径が３ｍｍより大きい曲線で滑らかに連続しており、この曲線が正円の円弧状であることを特徴とするガゼットパウチ。
【請求項１０】
請求項１〜９のいずれかに記載のガゼットパウチにおいて、４箇所の下端隅部のすべてが同様の構造を有していることを特徴とするガゼットパウチ。
【請求項１１】
請求項１〜１０のいずれかに記載のガゼットパウチにおいて、前面フィルム、後面フィルム、右側面フィルム、左側面フィルム及び底面フィルムのすべてが、ガスバリア性基材フィルムとシーラント層とを積層した多層フィルムで構成されていることを特徴とするガゼットパウチ。
【請求項１２】
請求項１１に記載のガゼットパウチにおいて、ガスバリア性基材フィルムがレトルト殺菌に耐える耐熱性を有することを特徴とするガゼットパウチ。
【発明の詳細な説明】
【技術分野】
【０００１】
本発明は、底部及び両側部にガゼット部を備えるガゼットパウチに関する。
【背景技術】
【０００２】
このようなガゼットパウチは、底部と両側部とを開いて大量の内容物を収容できるパウチとして知られており、例えば、特許文献１に記載されている。
【０００３】
このガゼットパウチ３００は、図４（ａ）の斜視図に示すように、前面フィルム１、右側面フィルム２、後面フィルム３、左側面フィルム４及び底面フィルム５から成る５枚のフィルムを備えて構成されている。そして、前面フィルム１の右側端縁と右側面フィルム２の左側端縁とがシールされて胴部シール線ａが設けられ、右側面フィルム２の右側端縁と後面フィルム３の左側端縁とがシールされて胴部シール線ｂが設けられ、後面フィルム３の右側端縁と左側面フィルム４の左側端縁とがシールされて胴部シール線ｃが設けられ、かつ、左側面フィルム４の右側端縁と前面フィルム１の左側端縁とがシールされて胴部シール線ｄが設けられている。そして、このように、４枚のフィルム１，２，３，４の各端縁を互いにシールして筒状胴部が構成されている。
【０００４】
そして、この筒状胴部の下側には底面フィルム５が配置されており、前面フィルム１の下側端縁と底面フィルム５の一辺とがシールされて底部シール線ｅが設けられている。また、同様に、右側面フィルム２の下側端縁と底面フィルム５の一辺とがシールされて底部シール線ｆが設けられ、後面フィルム３の下側端縁と底面フィルム５の一辺とがシールされて底部シール線ｇが設けられ、かつ、左側面フィルム４の下側端縁と底面フィルム５の一辺とがシールされて底部シール線ｈが設けられている。なお、底部シール線g，ｈはパウチ３００の背後に位置するため、この図には図示されていない。
【０００５】
なお、これら胴部シール線ａ，ｂ，ｃ，ｄ及び底部シール線ｅ，ｆ，ｇ，ｈは、いずれも、フィルム１，２，３，４，５の内面同士を向い合わせて合掌状にヒートシールすることによって形成したもので、このため、これらシール線ａ，ｂ，ｃ，ｄ，ｅ，ｆ，ｇ，ｈは、いずれも、パウチ３００の外部に向ってひれ状に突出している。
【０００６】
このガゼットパウチ３００は、左右のガゼット部及び底部のガゼット部を開き、上部開口部から内容物を収容し、この開口部をシールして密封することにより、使用することができる。こうして内容物を収容したパウチは、その底部が長方形を有しているため、それ自体が自立することができる。
【先行技術文献】
【特許文献】
【０００７】
【特許文献１】特許第３６５５６２７号公報
【発明の概要】
【発明が解決しようとする課題】
【０００８】
ところで、このガゼットパウチ３００の下端隅部においては、１本の胴部シール線と２本の底部シール線が交差する。図４（ａ）の右側下端隅部ａｅにおいては、図４（ｂ）に示すように、胴部シール線ａと底部シール線ｅが直交しており、また、これらと直交するように、すなわち、紙面に垂直な方向に底部シール線ｆが交差している。
【０００９】
この図４（ｂ）から分かるように、下端隅部ａｅにおいては、胴部シール線ａの内縁と
底部シール線ｅの内縁とは直角に交わっている。また、胴部シール線ａの内縁と底部シール線ｆの内縁も互いに直交しており、底部シール線ｆの内縁と底部シール線ｅの内縁も互いに直交している。このように、下端隅部ａｅにおいては、１本の胴部シール線と２本の底部シール線が、それぞれ、互いに直交しているため、大量の内容物を収容したパウチ３００に衝撃が加わると、この隅部内面に応力が集中して、この隅部で破袋して、液体内容物がパウチ３００の外部に漏れることがあった。
【００１０】
本発明はこのような事情に基づいてなされたもので、前述のようなガゼットパウチにおいて、衝撃が加えられた場合にも、隅部に破袋が生じ難いパウチを提供することを目的とするものである。
【課題を解決するための手段】
【００１１】
すなわち、請求項１に記載の発明は、前面フィルム、右側面フィルム、後面フィルム、左側面フィルム及び底面フィルムを備えて構成されるパウチであって、
前面フィルムの右側端縁と右側面フィルムの左側端縁とがシールされて胴部シール線が設けられ、右側面フィルムの右側端縁と後面フィルムの左側端縁とがシールされて胴部シール線が設けられ、後面フィルムの右側端縁と左側面フィルムの左側端縁とがシールされて胴部シール線が設けられ、かつ、左側面フィルムの右側端縁と前面フィルムの左側端縁とがシールされて胴部シール線が設けられており、
前面フィルムの下側端縁と底面フィルムの一辺とがシールされて底部シール線が設けられ、右側面フィルムの下側端縁と底面フィルムの一辺とがシールされて底部シール線が設けられ、後面フィルムの下側端縁と底面フィルムの一辺とがシールされて底部シール線が設けられ、かつ、左側面フィルムの下側端縁と底面フィルムの一辺とがシールされて底部シール線が設けられており、
前記４本の胴部シール線のうち、少なくとも１本の胴部シール線が合掌状にシールして形成された合掌状胴部シール線であり、
この合掌状胴部シール線の下端隅部で互いに交差する二本の底部シール線が、いずれも、合掌状にシールして形成された合掌状底部シール線であり、
これら合掌状胴部シール線及び二本の合掌状底部シール線が交差する下端隅部において、二本の合掌状底部シール線のうちいずれか一方の内縁と合掌状胴部シール線の内縁、又は二本の合掌状底部シール線のうちいずれか一方の内縁と他方の内縁とが曲線又はこれらシール線に斜めに交差する直線（傾斜直線）で滑らかに連続している、
ことを特徴とするガゼットパウチである。
【００１２】
次に、請求項２に記載の発明は、請求項１に記載のガゼットパウチにおいて、底部シール線の内縁と合掌状胴部シール線の内縁とが前記曲線又は傾斜直線で滑らかに連続しており、この曲線又は傾斜直線と底部シール線の内縁の直線状部位との交点をシール内縁屈曲点とするとき、このシール内縁屈曲点と合掌状底部シール線の端部との間の長さが合掌状底部シール線の長さの１／２以下であることを特徴とするガゼットパウチである。
【００１３】
次に、請求項３に記載の発明は、請求項２に記載のガゼットパウチにおいて、シール内縁屈曲点と合掌状底部シール線の端部との間の長さが合掌状底部シール線の幅の１０％以上であることを特徴とするガゼットパウチである。
【００１４】
次に、請求項４に記載の発明は、請求項１〜３のいずれかに記載のガゼットパウチにおいて、合掌状底部シール線の内縁と合掌状胴部シール線の内縁とが前記曲線又は傾斜直線で滑らかに連続しており、この曲線又は傾斜直線と合掌状胴部シール線の内縁の直線状部位との交点をシール内縁屈曲点とするとき、このシール内縁屈曲点と合掌状胴部シール線の端部との間の長さが胴部シール線の長さの１／２以下であることを特徴とするガゼットパウチである。
【００１５】
次に、請求項５に記載の発明は、請求項４に記載のガゼットパウチにおいて、シール内縁屈曲点と合掌状胴部シール線の端部との間の長さが合掌状胴部シール線の幅の１０％以上であることを特徴とするガゼットパウチである。
【００１６】
次に、請求項６に記載の発明は、請求項１〜５のいずれかに記載のガゼットパウチにおいて、二本の合掌状底部シール線のうちいずれか一方の内縁と他方の内縁とが前記曲線又は傾斜直線で滑らかに連続しており、この曲線又は傾斜直線と合掌状底部シール線の内縁の直線状部位との交点をシール内縁屈曲点とするとき、このシール内縁屈曲点と合掌状底部シール線の端部との間の長さが底部シール線の長さの１／２以下であることを特徴とするガゼットパウチである。
【００１７】
次に、請求項７に記載の発明は、請求項６に記載のガゼットパウチにおいて、シール内縁屈曲点と合掌状底部シール線の端部との間の長さが合掌状底部シール線の幅の１０％以上であることを特徴とするガゼットパウチである。
【００１８】
次に、請求項８に記載の発明は、請求項２〜７のいずれかに記載のガゼットパウチにおいて、前記曲線又は傾斜直線の両端のシール内縁屈曲点と、合掌状底部シール線の端部又は合掌状胴部シール線の端部とを結んで構成される三角形が直角二等辺三角形であることを特徴とするガゼットパウチである。
【００１９】
次に、請求項９に記載の発明は、請求項１〜８のいずれかに記載のガゼットパウチにおいて、二本の合掌状底部シール線のうちいずれか一方の内縁と合掌状胴部シール線の内縁、又は二本の合掌状底部シール線のうちいずれか一方の内縁と他方の内縁とが、曲率半径が３ｍｍより大きい曲線で滑らかに連続しており、この曲線が正円の円弧状であることを特徴とするガゼットパウチである。
【００２０】
次に、請求項１０に記載の発明は、請求項１〜９のいずれかに記載のガゼットパウチにおいて、４箇所の下端隅部のすべてが同様の構造を有していることを特徴とするガゼットパウチである。
【００２１】
次に、請求項１１に記載の発明は、請求項１〜１０のいずれかに記載のガゼットパウチにおいて、前面フィルム、後面フィルム、右側面フィルム、左側面フィルム及び底面フィルムのすべてが、ガスバリア性基材フィルムとシーラント層とを積層した多層フィルムで構成されていることを特徴とするガゼットパウチである。
【００２２】
次に、請求項１２に記載の発明は、請求項１１に記載のガゼットパウチにおいて、ガスバリア性基材フィルムがレトルト殺菌に耐える耐熱性を有することを特徴とするガゼットパウチである。
【発明の効果】
【００２３】
本発明のパウチにおいては、下端隅部において、二本の合掌状底部シール線のうちいずれか一方の内縁と合掌状胴部シール線の内縁、又は二本の合掌状底部シール線のうちいずれか一方の内縁と他方の内縁とが、曲率半径が３ｍｍより大きい曲線又はこれらシール線に斜めに交差する直線（傾斜直線）で滑らかに連続しており、互いに直角や鋭角で交わるものではないから、このパウチに衝撃を加えた場合においても、応力が集中することがなく、この下端隅部で破袋を生じ難いという効果を奏する。
【００２４】
なお、８箇所の下端隅部のすべてにおいて、合掌状底部シール線の内縁と合掌状胴部シール線の内縁、及び二本の合掌状底部シール線のうちいずれか一方の内縁と他方の内縁とが、前記曲線又は傾斜直線で滑らかに連続している場合には、これら８箇所の下端隅部のすべてにおいて破袋を生じ難いから、このパウチに衝撃を加えた場合でも、液体内容物の漏れが生じ難い。
【図面の簡単な説明】
【００２５】
【図１】図１は本発明のパウチの具体例に係り、図１（ａ）はその斜視図、図１（ｂ）は合掌状胴部シール線の下端隅部におけるシール線の形状を示す拡大説明図である。
【図２】図２は本発明のパウチを製造する方法を説明するための説明図である。
【図３】図３は本発明のパウチの他の具体例に係り、図３（ａ）はその斜視図、図３（ｂ）は合掌状胴部シール線の下端隅部におけるシール線の形状を示す拡大説明図である。
【図４】図４は従来のパウチに係り、図４（ａ）はその斜視図、図４（ｂ）は合掌状胴部シール線の下端隅部におけるシール線の形状を示す拡大説明図である。
【発明を実施するための形態】
【００２６】
以下、図面を参照して本発明の具体例を説明する。図面の図１（ａ）は本発明の具体例に係るパウチ１００の斜視図である。なお、この図においては、説明の便宜上、パウチ１００のガゼット部を開いた状態を図示している。
【００２７】
このパウチ１００は、前面フィルム１、右側面フィルム２、後面フィルム３、左側面フィルム４及び底面フィルム５から成る５枚のフィルムを備えて構成されている。そして、前面フィルム１の右側端縁と右側面フィルム２の左側端縁とがシールされて胴部シール線ａが設けられ、右側面フィルム２の右側端縁と後面フィルム３の左側端縁とがシールされて胴部シール線ｂが設けられ、後面フィルム３の右側端縁と左側面フィルム４の左側端縁とがシールされて胴部シール線ｃが設けられ、かつ、左側面フィルム４の右側端縁と前面フィルム１の左側端縁とがシールされて胴部シール線ｄが設けられている。そして、このように、４枚のフィルム１，２，３，４の各端縁を互いにシールして筒状胴部が構成されている。なお、１枚のフィルムを３本の折り曲げ線で折り曲げて、この３本の折り曲げ線で区画される４つの領域を、それぞれ、前記前面フィルム１、右側面フィルム２、後面フィルム３、左側面フィルム４として使用できることはもちろんである。
【００２８】
次に、この筒状胴部の下側には底面フィルム５が配置されており、前面フィルム１の下側端縁と底面フィルム５の一辺とがシールされて底部シール線ｅが設けられている。また、同様に、右側面フィルム２の下側端縁と底面フィルム５の一辺とがシールされて底部シール線ｆが設けられ、後面フィルム３の下側端縁と底面フィルム５の一辺とがシールされて底部シール線ｇが設けられ、かつ、左側面フィルム４の下側端縁と底面フィルム５の一辺とがシールされて底部シール線ｈが設けられている。なお、底部シール線ｇ，ｈはパウチ３００の背後に位置するため、この図には図示されていない。
【００２９】
なお、これら胴部シール線ａ，ｂ，ｃ，ｄ及び底部シール線ｅ，ｆ，ｇ，ｈは、いずれも、フィルム１，２，３，４，５の内面同士を向い合わせて合掌状にヒートシールすることによって形成したもので、このため、これらシール線ａ，ｂ，ｃ，ｄ，ｅ，ｆ，ｇ，ｈは、いずれも、パウチ３００の外部に向ってひれ状に突出している。このため、以下、胴部シール線ａ，ｂ，ｃ，ｄを合掌状胴部シール線ａ，ｂ，ｃ，ｄ、底部シール線ｅ，ｆ，ｇ，ｈを合掌状底部シール線ｅ，ｆ，ｇ，ｈと呼ぶ。
【００３０】
ところで、合掌状胴部シール線ａと合掌状底部シール線ｅとの交点近傍ａｅｆ、すなわち、パウチ１００の右側下端隅部においては、図１（ｂ）に示すように、合掌状胴部シール線ａの内縁は屈曲点（シール内縁屈曲点）Ａで屈曲している。このシール内縁屈曲点Ａより上側、すなわち、合掌状胴部シール線ａと合掌状底部シール線ｅとの交点から離れる方向にあっては、合掌状胴部シール線ａの内縁は合掌状底部シール線ｅに垂直な直線状で
ある。これに対し、シール内縁屈曲点Ａより下側、すなわち、前記交点に近づく方向にあっては、合掌状胴部シール線ａの内縁ａ１は曲線状である。
【００３１】
また、このパウチ１００の右側下端隅部ａｅｆにおいては、合掌状底部シール線ｅの内縁も屈曲点（シール内縁屈曲点）Ｅで屈曲している。このシール内縁屈曲点Ｅより左側、すなわち、合掌状胴部シール線ａと合掌状底部シール線ｅとの交点から離れる方向にあっては、合掌状合掌状底部シール線ｅの内縁は胴合掌状部シール線ａに垂直な直線状であり、シール内縁屈曲点Ｅより右側、すなわち、前記交点に近づく方向にあっては、合掌状底部シール線ｅの内縁ｅ１は曲線状である。
【００３２】
そして、これら曲線状の両内縁ａ１，ｅ１は、互いに滑らかに連続している。この両内縁ａ１，ｅ１で構成する曲線は正円の円弧状あるいは楕円の円弧状でよいが、望ましくは、正円の円弧状である。いずれにしても、正円又は楕円の中心はパウチ１００の内部に存在することが望ましい。すなわち、これら両内縁ａ１，ｅ１で構成する曲線は、パウチ１００の外側に向って凸となる滑らかな曲線状であることを必要とする。
【００３３】
また、両内縁ａ１，ｅ１で構成する曲線は、その曲率半径が３ｍｍより大きいことが望ましい。より望ましくは５ｍｍ以上の曲率半径である。また、その曲率半径は１００ｍｍ未満であることが望ましい。曲率半径が１００ｍｍを越えると、ガゼットパウチ特有の自立性を損ねることがある。
【００３４】
また、合掌状底部シール線ｅの端部Ｐとシール内縁屈曲点Ｅとの間の長さｘは、合掌状底部シール線ｅの長さＸ、すなわち、パウチ１００の幅Ｘの１／２以下であることが望ましい。また、合掌状底部シール線ｅの端部Ｐとシール内縁屈曲点Ｅとの間の長さｘは、合掌状底部シール線ｅの幅の１０％以上であることが望ましい。
【００３５】
同様に、合掌状胴部シール線ａの端部Ｐとシール内縁屈曲点Ａとの間の長さｚは、合掌状胴部シール線ａの長さＺ、すなわち、パウチ１００の高さＺの１／２以下であることが望ましい。
【００３６】
また、長さｘと長さｚとは同じ長さであることが望ましい。このとき、シール内縁屈曲点Ａ、シール内縁屈曲点Ｅ及び端部Ｐを結んで得られる三角形は、端部Ｐを直角とする直角二等辺三角形を構成する。
【００３７】
ところで、下端隅部ａｅｆにおいては、合掌状胴部シール線ａと合掌状底部シール線ｅに加えて、右側面フィルム２と底部フィルム５とをシールした合掌状底部シール線ｆも交差している。この合掌状底部シール線ｆの内縁も、合掌状底部シール線ｅ内縁と同様の形状を有している（図示せず）。すなわち、合掌状底部シール線ｆの内縁もシール内縁屈曲点Ｆで屈曲している。このシール内縁屈曲点Ｆを基準として合掌状胴部シール線ａと合掌状底部シール線ｅとの交点から離れる方向にあっては、合掌状底部シール線ｆの内縁は合掌状胴部シール線ａ及び合掌状底部シール線ｅの両者に垂直な直線状であり、シール内縁屈曲点Ｆを基準として前記交点に近づく方向にあっては、合掌状底部シール線ｆの内縁ｆ１は曲線状である。
【００３８】
そして、曲線状の内縁ｆ１は、曲線状の内縁ａ１及び内縁ｅ１の両者と滑らかに連続しており、この両内縁ａ１，ｆ１で曲率半径が３ｍｍより大きい正円の円弧状あるいは楕円の円弧状の曲線を構成している。また、両内縁ｅ１，ｆ１も曲率半径が３ｍｍより大きく１００ｍｍ未満の正円の円弧状あるいは楕円の円弧状の曲線を構成している。
【００３９】
また、合掌状底部シール線ｆの端部Ｐとシール内縁屈曲点Ｆとの間の長さｙは、合掌状
底部シール線ｆの長さＹ、すなわち、パウチ１００の奥行きＹの１／２以下であり、合掌状底部シール線ｆの幅の１０％以上である。
【００４０】
このように、下端隅部ａｅｆにおいて、合掌状胴部シール線ａの内縁ａ１、合掌状底部シール線ｅの内縁ｅ１、及び合掌状底部シール線ｆの内縁ｆ１のいずれもが曲線状であり、しかもこれらが相互に滑らかに連続しているため、下端隅部ａｅｆのパウチ１００内面側は、滑らかな曲面を構成している。この例では、合掌状底部シール線ｅの端部Ｐとシール内縁屈曲点Ｅとの間の長さｘ、合掌状底部シール線ｆの端部Ｐとシール内縁屈曲点Ｆとの間の長さｙ、合掌状胴部シール線ａの端部Ｐと各シール内縁屈曲点Ｅとの間の長さｚは同一であり、また、内縁ａ１、内縁ｅ１、内縁ｆ１の曲率半径も同一である。このため、この例では、下端隅部ａｅｆのパウチ１００内面側は略球面を構成している。そして、このように滑らかな曲面を構成しているため、この面にかかる応力が分散される。このため、パウチ１００に大量の液体内容物を収容して衝撃を加えても、この下端隅部ａｅｆにはピンホールを生じ難い。
【００４１】
なお、この例では、合掌状底部シール線ｅの端部Ｐとシール内縁屈曲点Ｅとの間の長さｘ、合掌状底部シール線ｆの端部Ｐとシール内縁屈曲点Ｆとの間の長さｙ、合掌状胴部シール線ａの端部Ｐと各シール内縁屈曲点Ｅとの間の長さｚは同一であり、また、内縁ａ１、内縁ｅ１、内縁ｆ１の曲率半径も同一である。このため、この例では、下端隅部ａｅｆのパウチ１００内面側は略球面を構成している。そして、このため、液体内容物の圧力はほぼ均一に分散されている。
【００４２】
次に、このほかの下端隅部、すなわち、合掌状胴部シール線ｂと合掌状底部シール線ｆ及び合掌状底部シール線ｇの三者が交差する隅部ｂｆｇ、合掌状胴部シール線ｃと合掌状底部シール線ｇ及び合掌状底部シール線ｈの三者が交差する隅部ｃｇｈ、合掌状胴部シール線ｄと合掌状底部シール線ｈ及び合掌状底部シール線ｅの三者が交差する隅部ｄｈｅのいずれにおいても、隅部ａｅｆと同様の構造を有している。これら下端隅部ｂｆｇ、ｃｇｈ、ａｅｆについては図示を省略する。
【００４３】
このパウチ１００を構成する前面フィルム１、右側面フィルム２、後面フィルム３、左側面フィルム４及び底面フィルム５としては、任意のフィルムを使用することができるが、例えば、基材フィルムとシーラント層とを積層した多層フィルムを使用することができる。
【００４４】
また、基材フィルムも任意のフィルムを使用することができる。単層構造又は多層構造のフィルムであってよい。単層構造のフィルムとしては、例えば、ポリエチレンフィルム、ポリプロピレンフィルム、ポリエステルフィルム、ポリアミドフィルム等のプラスチックフィルムを例示できる。
【００４５】
また、多層構造のフィルムとしては、前述のプラスチックフィルムのうち、２種類又はそれ以上のフィルムを積層したものを使用することができる。また、その層構成中に金属箔、蒸着フィルム、紙等を含む多層フィルムであってもよい。金属箔としてはその代表例としてアルミニウム箔を例示できる。また、蒸着フィルムとしては、蒸着基材に金属（アルミニウム等）又は無機酸化物（酸化ケイ素、酸化アルミニウム等）を蒸着したフィルムが使用できる。
【００４６】
このように基材フィルムとしては、多種類の単層フィルムや多層フィルムの中から選択して使用することができるが、内容物として飲食物を収容する場合には、ガスバリア性に優れた基材フィルムを選択することが望ましい。また、このパウチ１００をレトルト殺菌する場合には、これに耐える耐熱性を有することが望ましい。例えば、ポリエステルフィ
ルムやポリアミドフィルムに金属箔又は蒸着フィルムを積層した多層フィルムである。層構成中に複数枚のポリエステルフィルムやポリアミドフィルムを含み、さらに金属箔又は蒸着フィルムを含む多層フィルムであってもよい。
【００４７】
次に、シーラント層としては、低密度ポリエチレン、中密度ポリエチレン、直鎖状低密度ポリエチレン、ポリプロピレン等を使用することができる。
【００４８】
そして、これらフィルム１，２，３，４，５を使用してパウチ１００を製造する際には、各シール線ａ，ｂ，ｃ，ｄ，ｅ，ｆ，ｇ，ｈごとにヒートシールすればよい。
【００４９】
また、単一のヒートシール工程によってこれらシール線ａ，ｂ，ｃ，ｄ，ｅ，ｆ，ｇ，ｈを一括して形成することによってパウチ１００を製造することも可能である。図２は、この方法を説明するための説明図で、図示のように、前面フィルム１と後面フィルム３とを、シーラント層同士が向き合うように対向配置する。右側面フィルム２及び左側面フィルム４は、シーラント層がパウチ内面側となるように二つ折りし、下部を内側に三角形状に折り込む。そして、この右側面フィルム２及び左側面フィルム４を前面フィルム１と後面フィルム３との間に配置する。また、底面フィルム５は、シーラント層がパウチ内面側となるように二つ折りし、その折曲げ線が右側面フィルム２及び左側面フィルム４の下部の折り返し部分に介在するように配置する。そして、所定形状のヒートシールバーを使用してヒートシールすることにより、シール線ａ，ｂ，ｃ，ｄ，ｅ，ｆ，ｇ，ｈを一括して形成することができる。また、このようにシール線ａ，ｂ，ｃ，ｄ，ｅ，ｆ，ｇ，ｈを一括して形成する場合には、合掌状底部シール線ｅの端部Ｐとシール内縁屈曲点Ｅとの間の長さｘと、合掌状底部シール線ｆの端部Ｐとシール内縁屈曲点Ｆとの間の長さｙとは同一となるから、この長さを合掌状胴部シール線ａの端部Ｐとシール内縁屈曲点Ａとの間の長さｚと同一とし、かつ、内縁ａ１と内縁ｅ１とで構成する曲線を正円の円弧状とすれば、下端隅部ａｅｆのパウチ１００内面側を略球面とすることができる。
【００５０】
このパウチ１００に収容する内容物は任意でよい。例えば固体内容物や液体内容物である。流動性のある内容物を収容する場合には、この内容物を上部開口部からパウチ１００内部に収容した後、この開口部をシールして密封することが望ましい。
【００５１】
このような流動性の内容物としては、液体又はペースト状の飲食物が例示できる。また、液体やペースト状飲食物と固体飲食物との混合物であってもよい。各フィルム１，２，３，４，５の材質に応じて、これら内容物を収容密封した後、レトルト殺菌することができることは前述のとおりである。
【００５２】
以上、合掌状胴部シール線ａの下端近傍の内縁ａ１と合掌状底部シール線ｅの内縁ｅ１とが曲線で滑らかに連続しているパウチ１００を例として本発明を説明したが、これら内縁ａ１と内縁ｅ１とが直線で滑らかに連続しているものであってもよい。図３（ａ）はこのようなパウチ２００の例を示す斜視図である。また、図３（ｂ）は合掌状胴部シール線ａと合掌状底部シール線ｅとの交点近傍ａｅｆ、すなわちパウチ２００の下端隅部ａｅｆのシール線ａ，ｅの形状を示す拡大説明図である。
【００５３】
すなわち、この例では、合掌状胴部シール線ａは、合掌状胴部シール線ａの内縁はシール内縁屈曲点Ａで屈曲しており、シール内縁屈曲点Ａより上側、すなわち、合掌状胴部シール線ａと合掌状底部シール線ｅとの交点から離れる方向にあっては、合掌状胴部シール線ａの内縁は合掌状底部シール線ｅに垂直な直線状である。これに対し、シール内縁屈曲点Ａより下側、すなわち、前記交点に近づく方向にあっては、合掌状胴部シール線ａの内縁ａ１は、合掌状胴部シール線ａ及び合掌状底部シール線ｅに斜めに交差する方向に伸びる直線状である。
【００５４】
また、合掌状底部シール線ｅの内縁もシール内縁屈曲点Ｅで屈曲しており、このシール内縁屈曲点Ｅより左側、すなわち、合掌状胴部シール線ａと合掌状底部シール線ｅとの交点から離れる方向にあっては、合掌状合掌状底部シール線ｅの内縁は胴合掌状部シール線ａに垂直な直線状であり、シール内縁屈曲点Ｅより右側、すなわち、前記交点に近づく方向にあっては、合掌状底部シール線ｅの内縁ｅ１は合掌状胴部シール線ａ及び合掌状底部シール線ｅに斜めに交差する方向に伸びる直線状である。
【００５５】
そして、内縁ａ１と内縁ｅ１とは、その両者で１本の直線（傾斜直線）を構成しており、こうして、これら内縁ａ１と内縁ｅ１とは滑らかに連続している。
【００５６】
このように内縁ａ１と内縁ｅ１とが傾斜直線で滑らかに連続しているパウチ２００においても、この下端隅部ａｅｆの内面にかかる応力が分散される。このため、パウチ２００に大量の液体内容物を収容して衝撃を加えても、この下端隅部ａｅｆにはピンホールを生じ難い。
【００５７】
なお、このほかの下端隅部、すなわち、合掌状胴部シール線ｂと合掌状底部シール線ｆ及び合掌状底部シール線ｇの三者が交差する隅部ｂｆｇ、合掌状胴部シール線ｃと合掌状底部シール線ｇ及び合掌状底部シール線ｈの三者が交差する隅部ｃｇｈ、合掌状胴部シール線ｄと合掌状底部シール線ｈ及び合掌状底部シール線ｅの三者が交差する隅部ｄｈｅについては、下端隅部ａｅｆと同様に、内縁ａ１と内縁ｅ１とが直線で滑らかに連続しているものであってもよいが、これら下端隅部ｂｆｇ、ｃｇｈ、ｄｈｅの一部又は全部が、内縁ａ１と内縁ｅ１とが曲線で滑らかに連続しているものであってもよい。
【実施例】
【００５８】
（実施例１）
この例は、図１に示すように、下端隅部ａｅｆ，ｂｆｇ、ｃｇｈ、ｄｈｅの全部が、各シール線ａ，ｂ，ｃ，ｄ，ｅ，ｆ，ｇ，ｈの内縁ａ１，ｂ１，ｃ１，ｄ１，ｅ１，ｆ１，ｇ１，ｈ１が正円の円弧状の曲線を構成して、滑らかに連続しているパウチ１００の例である。各合掌状底部シール線ｅ，ｆ，ｇ，ｈの端部とシール内縁屈曲点との間の長さｘ，ｙと、各合掌状胴部シール線ａ，ｂ，ｃ，ｄの端部と各シール内縁屈曲点との間の長さｚは、すべて同一であり、また、各内縁の曲率半径も同一である。このため、この例では、下端隅部ａｅｆ，ｂｆｇ、ｃｇｈ、ｄｈｅのすべてにおいて、パウチ１００内面側は略球面を構成している。なお、各内縁ａ１，ｂ１，ｃ１，ｄ１，ｅ１，ｆ１，ｇ１，ｈ１の曲率半径は１０ｍｍである。また、パウチ１００の大きさは幅Ｘが１５０ｍｍ、高さＺが２４０ｍｍ、奥行きＹが８０ｍｍである。また、各シール線ａ，ｂ，ｃ，ｄ，ｅ，ｆ，ｇ，ｈの幅は７．５ｍｍである。
【００５９】
前面フィルム１、右側面フィルム２、後面フィルム３、左側面フィルム４及び底面フィルム５としては、基材フィルムにシーラント層を積層したフィルムを使用した。基材フィルムは、蒸着フィルム、厚さ１５μｍのポリアミドフィルムを積層した二層構造のフィルムである。なお、蒸着フィルムは、厚さ１２μｍのポリエステルフィルムに酸化ケイ素蒸着層を設けたものである。また、シーラント層としては、厚さ８０μｍの無延伸ポリプロピレンフィルムを使用した。
【００６０】
そして、パウチ１００に水１０００ｍｌを収容して密封し、１２１℃、３０分の条件でレトルト殺菌した。次に、このパウチ１００を常温下で２４時間保管した後、ＪＩＳ  Ｚ０２３８に準拠して、１２０ｃｍの高さから平面状のコンクリートに落下させた。そして、この落下を繰り返して、パウチ１００から水が洩れる落下回数を数えた。なお、サンプル数を５として、その平均を求めた。
【００６１】
また、この落下試験に加えて、水を密封したパウチ１００を平坦な床の上に載置して、自立性に問題がないか否かの評価を行った。その評価基準は、通常の角型ガゼットパウチ（比較例のパウチ３００）を基準のパウチとして、次の通りである。
外観及び自立性が基準のパウチと同様のパウチ‥○。
外観が基準のパウチと異なり、自立はするが不安定なパウチ‥△。
外観が基準のパウチと異なり、自立性がないパウチ‥×。
【００６２】
（実施例２）
各内縁ａ１，ｂ１，ｃ１，ｄ１，ｅ１，ｆ１，ｇ１，ｈ１の曲率半径を１００ｍｍとした他は、実施例１と同様にパウチ１００を製造し、かつ、落下試験を行った。また、自立性についても評価した。
【００６３】
（実施例３）
各内縁ａ１，ｂ１，ｃ１，ｄ１，ｅ１，ｆ１，ｇ１，ｈ１の曲率半径を５ｍｍとした他は、実施例１と同様にパウチ１００を製造し、かつ、落下試験を行った。また、自立性についても評価した。
【００６４】
（実施例４）
この例は、図３に示すように、下端隅部ａｅｆ，ｂｆｇ、ｃｇｈ、ｄｈｅの全部が、各シール線ａ，ｂ，ｃ，ｄ，ｅ，ｆ，ｇ，ｈの内縁ａ１，ｂ１，ｃ１，ｄ１，ｅ１，ｆ１，ｇ１，ｈ１が傾斜直線を構成して、滑らかに連続しているパウチ２００の例である。各合掌状底部シール線ｅ，ｆ，ｇ，ｈの端部とシール内縁屈曲点との間の長さは、いずれも、３０ｍｍである。
【００６５】
前面フィルム１、右側面フィルム２、後面フィルム３、左側面フィルム４及び底面フィルム５の材質、パウチ２００の大きさは実施例１と同じである。
【００６６】
そして、このパウチ２００についても、実施例１と同様に、水を密封してレトルト殺菌し、２４時間保管した後、落下試験を行った。また、自立性についても評価した。
【００６７】
（比較例）
この例は、図４に示すように、下端隅部ａｅｆ，ｂｆｇ、ｃｇｈ、ｄｈｅの全部で、各シール線ａ，ｂ，ｃ，ｄ，ｅ，ｆ，ｇ，ｈの内縁ａ１，ｂ１，ｃ１，ｄ１，ｅ１，ｆ１，ｇ１，ｈ１が互いに直交しているパウチ３００の例である。
【００６８】
前面フィルム１、右側面フィルム２、後面フィルム３、左側面フィルム４及び底面フィルム５の材質、パウチ２００の大きさは実施例１と同じである。
【００６９】
そして、このパウチ２００についても、実施例１と同様に、水を密封してレトルト殺菌し、２４時間保管した後、落下試験を行った。
【００７０】
（試験結果及び考察）
この結果を表１に示す。
【００７１】
【表１】
2018199519.tif 000003
【００７２】
落下試験の結果から、下端隅部ａｅｆ，ｂｆｇ、ｃｇｈ、ｄｈｅの全部が、各シール線ａ，ｂ，ｃ，ｄ，ｅ，ｆ，ｇ，ｈの内縁ａ１，ｂ１，ｃ１，ｄ１，ｅ１，ｆ１，ｇ１，ｈ１が正円の円弧状の曲線を構成して、滑らかに連続しているパウチ１００（実施例１〜３）は、比較例のパウチ３００に比べて、耐衝撃性に優れており、外部から衝撃が加えられても内容物の漏れが生じ難いことが理解できる。
【００７３】
もっとも、これら内縁ａ１，ｂ１，ｃ１，ｄ１，ｅ１，ｆ１，ｇ１，ｈ１の曲率半径が大きい場合（実施例２）には、その自立性が劣ることが理解できる。
【００７４】
また、その内縁ａ１，ｂ１，ｃ１，ｄ１，ｅ１，ｆ１，ｇ１，ｈ１が傾斜直線を構成して、滑らかに連続しているパウチ２００（実施例４）においても、耐衝撃性に優れており、また、自立性にも優れていることが分かる。
【符号の説明】
【００７５】
１００，２００：ガゼットパウチ
１：前面フィルム    ２：右側面フィルム    ３：後面フィルム    ４：左側面フィルム    ５：底面フィルム
ａ，ｂ，ｃ，ｄ：胴部シール線  ａ１：内縁    Ａ：シール内縁屈曲点
ｅ，ｆ，ｇ，ｈ：底部シール線  ｅ１：内縁    Ｅ：シール内縁屈曲点
ａｅｆ：下端隅部
Ｐ：胴部シール線及び底部シール線の端部
Ｘ：前面フィルムと底部フィルムとをシールした合掌状底部シール線の長さ    ｘ：左右方向に延在する底部シール線の端部とそのシール内縁屈曲点との間の長さ
Ｙ：右側面フィルムと底部フィルムとをシールした合掌状底部シール線の長さ    ｙ：奥行き方向に延在する底部シール線の端部とそのシール内縁屈曲点との間の長さ
Ｚ：前面フィルムと右側面フィルムとをシールした合掌状胴部シール線の長さ    ｚ：胴部シール線の端部とそのシール内縁屈曲点との間の長さ
【図１】
2018199519.tif 000004
【図２】
2018199519.tif 000005
【図３】
2018199519.tif 000006
【図４】
2018199519.tif 000007